(57)【要約】【課題】本発明はアーチ形屋根家屋に関し、例えば一般住宅、集合住宅、アパート、小規模マンションを建設するのに最適であり、その建物軸組み構造体として軽量形鋼構造体と木製の添板部材とが併用され、しかも、現場施工が迅速かつ効率的に行え、さらには軽量でありながら構造堅牢なアーチ形屋根家屋を建築する。【解決手段】断面角形、断面Ｈ形、断面Ｉ形等の軽量形鋼材２により形成される軽量形鋼構造体３と、該軽量形鋼構造体３の側面に長手方向Ｘに取付けられ、前記軽量形鋼構造体３よりも僅かに幅広の木製の添板部材４とを併用して建物軸組み構造体１を構成し、建物基礎５上に建物の軸組みとして前記建物軸組み構造体１を組付けることにより建築される。【選択図】図１
2006188820.tif 000002
【特許請求の範囲】
【請求項１】
断面角形、断面Ｈ形、断面Ｉ形等の軽量形鋼材により形成される軽量形鋼構造体と、
該軽量形鋼構造体の側面に長手方向に取付けられ、前記軽量形鋼構造体よりも僅かに幅広の木製の添板部材とにより建物軸組み構造体を構成し、
建物基礎上に前記建物軸組み構造体を組付けることにより建築されることを特徴としたアーチ形屋根家屋。
【請求項２】
前記添板部材が軽量形鋼構造体よりも僅かに、好ましくは約５ｍｍ程度側面に突出されて軽量鉄骨構造体に取付けられることを特徴とした請求項１に記載のアーチ形屋根家屋。
【請求項３】
建築物の外壁材が、前記建物軸組み構造体の添板部材に断熱材、防水シート等の中間の隔壁部材を介装の上、適宜固定部品により取付けられることを特徴とする請求項１または２に記載のアーチ形屋根家屋。
【請求項４】
建築物の内壁材が、前記建物軸組み構造体の添板部材に断熱材、防水シート等の中間の隔壁部材を介装の上、適宜固定部品により取付けられることを特徴とする請求項１または２に記載のアーチ形屋根家屋。
【請求項５】
固定部品が、エアーハンマー等により打着可能なねじ釘、釘等であることを特徴とする請求項１、または２〜４の何れか１の請求項に記載のアーチ形屋根家屋。
【請求項６】
コーナー用の柱材は、建物基礎に埋め込まれるアンカー・ボルトの上端部に取り付けた柱材取付金具を介して立設され、該柱材取付金具は平面略直角に設けられた座翼板と、該座翼板が交叉する中間部に前記柱材の下端が挿入可能に設けられる平面略箱形の受口部とにより形成されていることを特徴とした請求項１〜５の何れか１の請求項に記載のアーチ形屋根家屋。
【請求項７】
間柱用の柱材は、建物基礎に埋め込まれるアンカー・ボルトの上端部に取り付けた柱材取付金具を介して立設され、該柱材取付金具は前後に設けられた座翼板と、該座翼板の中間部には前記柱材の下端が挿入可能に設けられる平面略箱形の受口部とにより形成されていることを特徴とした請求項１〜５の何れか１の請求項に記載のアーチ形屋根家屋。
【請求項８】
建物基礎の上面に対向して設けられた桁材の上面に所望本数が平行に架設される根太材と、該根太材の上面に張設されるベニア合板と、該ベニア合板の上面に防水シートを介して張設される床材とにより床部を建築することを特徴とした請求項１〜７の何れか１の請求項に記載のアーチ形屋根家屋。
【請求項９】
対向する胴差し材の上面に所望本数が平行に架設される根太材と、該根太材の上面に張設されるベニア合板と、該ベニア合板の上面に防水シートを介して張設される床材とにより床部を建築することを特徴とした請求項１〜７の何れか１の請求項に記載のアーチ形屋根家屋。
【請求項１０】
階上に設けられる前記床部の下方には空気遮音層部が設けられ、該空気遮音層部を介して吊杆により階下の天井パネルを吊り下げ可能に設けることを特徴とした請求項１〜９の何れか１の請求項に記載のアーチ形屋根家屋。
【発明の詳細な説明】
【技術分野】
【０００１】
本発明はアーチ形屋根家屋に係り、例えば一般住宅、集合住宅、アパート、小規模マンションを建設するのに最適であり、その建物軸組み構造体として軽量形鋼構造体と木製の添板部材とが併用され、しかも、現場施工が迅速かつ効率的に行え、さらには軽量でありながら構造堅牢に建築することが可能なアーチ形屋根家屋に関する。
【背景技術】
【０００２】
従来、工場、倉庫、市場等の建築物は大きな内部空間や面積を確保する必要から鉄骨ラーメン構造や鉄骨トラスト構造を採用することにより内部に柱がない無柱空間をなし、この無柱空間の屋根には金属薄板よりなる帯状板材等を屋根表面材に用いることにより全体的にアーチ形（蒲鉾形）に葺設した屋根を有する建築物があった（例えば特許文献１参照）。
【特許文献１】特開２０００−１５３４７号公報
【発明の開示】
【発明が解決しようとする課題】
【０００３】
しかしながら、特許文献１に記載の上記従来のアーチ形屋根を有する建築物は、建築物として大きな内部空間や面積を確保するために、例えば工場、倉庫、市場等の大規模な建築物を建設するのを対象とするものである。従って、屋根面積も広くなってアーチ形屋根としての重量も多大になり、鉄骨ラーメン構造や鉄骨トラスト構造を採用した構造的に堅牢な建物軸組み軸構造体になっていた。このように、建物軸組み構造体は、鉄骨材をボルト・ナットやリベット等の固定部品を用いて鉄骨ラーメン構造や鉄骨トラスト構造に組立、固定することにより形成されるので、現場での組立施工には多くの時間と手間がかかり、施工効率が悪くなり、工事期間は長くなっていた。また、特許文献１に記載のアーチ形屋根を有する建築物は、工場から施工現場までの鉄骨材等の資材の運搬が容易ではなかった。そのうえ、建築物が大規模化し建物全体の重量は増大する。
【０００４】
本発明はかかる問題点を解決し、例えば一般住宅、集合住宅、アパート、小規模マンションを建設するのに最適であり、現場施工が迅速かつ効率的に行え、工事期間が短期間になり、さらには軽量でありながら構造堅牢なアーチ形屋根家屋を建築することを目的とする。
【課題を解決するための手段】
【０００５】
本発明は上記課題に鑑みてなされ請求項１に記載の発明は、
断面角形、断面Ｈ形、断面Ｉ形等の軽量形鋼材により形成される軽量形鋼構造体と、
該軽量形鋼構造体の側面に長手方向に取付けられ、前記軽量形鋼構造体よりも僅かに幅広の木製の添板部材とにより建物軸組み構造体を構成し、
建物基礎上に前記建物軸組み構造体を組付けることにより建築されることを特徴とする。
【０００６】
また、本発明の請求項２に記載の発明は、請求項１に記載の発明おいて、前記添板部材が軽量形鋼構造体よりも僅かに、好ましくは約５ｍｍ程度側面に突出されて軽量鉄骨構造体に取付けられることを特徴とする。
【０００７】
また、本発明の請求項３に記載の発明は、請求項１または２に記載の発明において、建築物の外壁材が、前記建物軸組み構造体の添板部材に断熱材、防水シート等の中間の隔壁部材を介装の上、適宜固定部品により取付けられることを特徴とする。
【０００８】
また、本発明の請求項４に記載の発明は、請求項１または２に記載の発明において、建築物の内壁材が、前記建物軸組み構造体の添板部材に断熱材、防水シート等の中間の隔壁部材を介装の上、適宜固定部品により取付けられることを特徴とする。
【０００９】
また、本発明の請求項５に記載の発明は、請求項１、または２〜４の何れか１に記載の発明において、固定部品が、エアーハンマー等により打着可能なねじ釘、釘等であることを特徴とする。
【００１０】
また、本発明の請求項６に記載の発明は、請求項１〜５の何れか１の請求項に記載の発明において、コーナー用の柱材は、建物基礎に埋め込まれるアンカー・ボルトの上端部に取り付けた柱材取付金具を介して立設され、該柱材取付金具は平面略直角に設けられた座翼板と、該座翼板が交叉する中間部に前記柱材の下端が挿入可能に設けられる平面略箱形の受口部とにより形成されていることを特徴とする。
【００１１】
また、本発明の請求項７に記載の発明は、請求項１〜５の何れか１の請求項に記載の発明において、間柱用の柱材は、建物基礎に埋め込まれるアンカー・ボルトの上端部に取り付けた柱材取付金具を介して立設され、該柱材取付金具は前後に設けられた座翼板と、該座翼板の中間部には前記柱材の下端が挿入可能に設けられる平面略箱形の受口部とにより形成されていることを特徴とする。
【００１２】
また、本発明の請求項８に記載の発明は、請求項１〜７の何れか１の請求項に記載の発明において、建物基礎の上面に対向して設けられた桁材の上面に所望本数が平行に架設される根太材と、該根太材の上面に張設されるベニア合板と、該ベニア合板の上面に防水シートを介して張設される床材とにより床部を建築することを特徴とする。
【００１３】
また、本発明の請求項９に記載の発明は、請求項１〜７の何れか１の請求項に記載の発明において、対向する胴差し材の上面に所望本数が平行に架設される根太材と、該根太材の上面に張設されるベニア合板と、該ベニア合板の上面に防水シートを介して張設される床材とにより床部を建築することを特徴とする。
【００１４】
また、本発明の請求項１０に記載の発明は、請求項１〜９の何れか１の請求項に記載の発明において、階上に設けられる前記床部の下方には空気遮音層部が設けられ、該空気遮音層部を介して吊杆により階下の天井パネルを吊り下げ可能に設けることを特徴とする。
【発明の効果】
【００１５】
本発明は、例えば一般住宅、集合住宅、アパート、小規模マンションを建設するのに最適であり、現場施工が迅速かつ効率的に行え、工事期間が短期間になり、さらには軽量でありながら構造堅牢なアーチ形屋根家屋を建築することができる。
【発明を実施するための最良の形態】
【００１６】
以下、図面に従って本発明を実施するための最良の形態につき、詳細に説明する。
【００１７】
図１は本発明のアーチ形屋根家屋の実施形態１を示し、建築物の全景を示した斜視図、図２は同じく同じく拡大斜視図、図３は同じく本実施形態１を構成する建物軸組み構造体を示す拡大断面図、図４は同じく本実施形態１を構成するコーナ用の柱材取付金具を用いて柱材を建物基礎上に立設した状態の拡大斜視図、図５は同じく本実施形態１を構成する柱材取付金具を用いて柱材を建物基礎上に立設した状態の拡大斜視図、図６は同じく本実施形態１を構成するアーチ形屋根構造体を用いて建築されるアーチ形屋根を示す拡大斜視図、図７は同じくアーチ形屋根部分の断面図、図８はアーチ形屋根を取り除いた斜視図である。
【００１８】
図１において、１は本実施形態１のアーチ形屋根家屋Ａの建物軸組み構造体であり、この建物軸組み構造体１は、断面角形、断面Ｈ形、断面Ｉ形等の軽量形鋼材２により形成される軽量形鋼構造体３と、該軽量形鋼構造体３の側面に長手方向Ｘに取付けられ、前記軽量形鋼構造体３よりも僅かに幅広の木製の添板部材４とにより建物軸組み構造体１を構成し、建物基礎５上に前記建物軸組み構造体１を組付けることにより建築されることを特徴とした。
【００１９】
前記建物軸組み構造体１としては、例えば建物基礎５上に立設される柱材６、該柱材６に対して架設される胴差し材７等がある。
【００２０】
図示する前記建物軸組み軸構造体１は例えば一般住宅、集合住宅、アパート、小規模マンションを建設するのに最適な姿態である。
【００２１】
本実施形態１では前記軽量形鋼構造体３には、例えば縦１００ｍｍ、横１００ｍｍ、厚さ３．２ｍｍ程度の断面角形の軽量形鋼材２が使用される。
【００２２】
前記添板部材４は、幅Ｗの前記軽量形鋼構造体３よりも左右端の突出厚さｔ,ｔが僅かに、好ましくは約５ｍｍ程度突出する幅Ｗ１であり、その厚さｓは３０〜５０ｍｍ程度に形成される。そして、この添板部材４を前記軽量形鋼構造体３に取付けるのには、例えばボルト・ナットＶ１を用いて取付けられる。この添板部材４は、例えば建築物Ｋのコーナ個所に用いる柱材６としての通し柱１３には、その通し柱１３の側面に平面直角に取付けられ、また、通し柱１３間の中間に用いる間柱１４には、前後または左右の側面に取付けられ、さらに胴差し材７には上面または下面に取付けられたものが使用される。そして、図１は、実際の建築施工とは異なりアーチ形屋根家屋Ａの前記柱材６と胴差し材７、およびアーチ形屋根Ｂの胴差し材７、後記小束材４０Ａ等のみに代表的に木製の添板部材４等が取付けたものが説明の便宜上示されている。
【００２３】
この木製の添板部材４の幅Ｗ１が軽量形鋼材２にて形成される前記柱材６を形成する軽量形構造体３の幅Ｗよりも左右端が約５ｍｍ程度の突出厚さｔ,ｔに僅かに突出して取付けるのは、軽量形鋼構造体３と木製の添板部材４とを併用する建物軸組み構造体１を組み付けた後に、軽量形鋼構造体３が使用されているのにも拘わらず、建築物Ｋおよびアーチ形屋根家屋Ａの大部分を占めるような外壁材８および内壁材９をそれぞれ取付ける場合に簡単な取り扱い操作により作業効率良く取付けるためである。
【００２４】
すなわち、本実施形態１では、建築物Ｋの外側に外壁材８を取付けるのに、軽量形鋼構造体３内に中間の隔壁部材として断熱材１０を充填し、防水シート１１を表面に張設してから防水性を高めてから木製の添板部材４にねじ釘Ｎや釘等の適宜固定部品を打撃具としてエアーハンマー等により打ち込むことにより、外壁材８を短時間に迅速かつ確実に作業効率が良く取付けるとともに取付後の外壁材８の表面が段差を生じたり、継ぎ目個所が目立つことなく綺麗な仕上がりにて取付けるようにするためである。また、建築物Ｋの内側（室内側）に石膏ボードや合板等の内壁材９を取付けるのに、木製の前記添板部材４にねじ釘Ｎや釘等の適宜固定部品をエアーハンマー等により打ち込むことにより、内壁材９を短時間に迅速かつ確実に作業効率が良く取付けるとともに取付後の表面が段差を生じたり、継ぎ目個所が目立つことなく綺麗な仕上がにて内壁材９を取付けるようにするためである。
【００２５】
前記柱材６は、例えば鉄筋入りのコンクリート製の建物基礎５上のコーナ部分、本実施形態１では建物基礎５の四隅に立設される通し柱１３,１３；１３,１３と、該通し柱１３,１３；１３,１３間の中間個所において所望間隔にて所望本数が前記建物基礎５上に立設される間柱１４,１４・・・１４とがある。
【００２６】
前記外壁材８はパネル状であり、この外壁材８は前記建物軸組み構造体１の木製の添板部材４に、中間の隔壁部材として断熱材１０、防水シート１１等の所望部材を介装の上、ねじ釘Ｎや釘等の適宜固定部品により取付けられる。この外壁材８は、例えば天然の鉱石、セメントモルタル、石膏ボード、セラミック、合成樹脂ボード等の種々の材質、風合い、成形模様、色彩のものが用いられ、さらには防水性、遮音性、断熱性、耐薬品性、耐紫外線性等に優れたものが使用される。
【００２７】
また、同様に前記内壁材９はパネル状であり、この内壁材９は前記軽量形鋼構造体３の木製の添板部材４に前記断熱材１０、前記防水シート１１等の中間の隔壁部材を介装の上、ねじ釘Ｎ等の適宜固定部品により取付けられる。この内壁材９としては、例えば石膏ボードや木製合板が使用される。
【００２８】
１５Ａは前記柱材６を建物基礎５上のコーナ個所に立設するためのコーナ用の柱材取付金具であり、この柱材取付金具１５Ａは建物基礎５に埋め込まれるアンカー・ボルトＵ．Ｖの上端部に取付けられ、平面略直角に設けた座翼板１６,１６と、該座翼板１６,１６が交叉する中間部に前記柱材６の下端が挿入可能に設けられる平面略箱形の受口部１７とにより形成される。
【００２９】
１５Ｂは前記柱材６を建物基礎５上に立設するための間柱用の柱材取付金具であり、この柱材取付金具１５Ｂは建物基礎５上に埋め込まれるアンカー・ボルトＵ．Ｖの上端部が取付けられる前後に設けた座翼板１６′,１６′と、該座翼板１６′,１６′の中間部には前記柱材６の下端が挿入可能に設けられる平面略箱形の受口部１７′とにより形成される。
【００３０】
１８は建築物Ｋの前記建物軸組み構造体１に各階層毎に設けられる床部であり、この床部１８は１階Ｆ１においては前記建物基礎５の上面に前後または左右に対向して設けられた桁材１９,１９の上面に所望本数が平行に架設される根太材２０と、該根太材２０の上面に張設されるベニア合板２１と、該ベニア合板２１の上面に防水シート２２を介して張設される床材２３とにより建築される。また、建築物Ｋの１階よりも上層階の２階、３階・・等の床部１８においては、前後または左右に対向する前記胴差し材７,７の上面に所望本数が平行に架設される根太材２０と、該根太材２０の上面に張設されるベニア合板２１と、該ベニア合板２１の上面に防水シート２２を介して張設される床材２３とにより建築される。
【００３１】
２５は階下の天井パネルであり、この天井パネル２５は階上の前記床部１８の下方に空気遮音層部Ｊを設け、該空気遮音層部Ｊを介して吊杆２６により吊り下げ可能に設けられる。
【００３２】
前記吊杆２６はこの実施形態１では吊杆２６の上端または下端に設けたねじ部２６ａ,  ２６ｂに螺合されるナット２７,２７ を係止部品として階上の床材２３から吊り下げられた吊杆２６を介して階下の天井パネル２５を吊り下げるようにしている。
【００３３】
２８は前記通し柱１３,１３；１３,１３と間柱１４,１４・・・１４との間、または間柱１４,１４・・・１４間の所望位置に補強のために設けた筋交い材であり、この筋交い材２８は、柱材６として用いる前記通し柱１３,１３；１３,１３と前記間柱１４,１４・・・１４、または対向する前記間柱１４,１４間の上下に対向して突設した取付板２９,２９；２９,２９にボルト・ナット３０により上端または下端を枢着した被着杆３１,３１；３１,３１にターンバックル機構３２を介して上端および下端が接続された２本の支持杆３３,３３を交叉して取付長さを長短調整可能に設けることにより形成される。
【００３４】
Ｂは前記建物軸組み構造体１の柱材６としての通し柱１３,１３；１３,１３、および間柱１４,１４・・・の上面に取付、支持されるアーチ形屋根である。
【００３５】
３４は前記アーチ形屋根Ｂを形成するためのアーチ形屋根構造体であり、このアーチ形屋根構造体３４は前記建物軸組み構造体１と同様に断面角形、断面Ｈ形、断面Ｉ形等の軽量形鋼材２により形成される軽量鉄骨屋根構造体３５と、該軽量鉄骨屋根構造体３５の側面に長手方向Ｘに取付けられ、前記軽量鉄骨屋根構造体３５よりも僅かに幅広の木製の添板部材４′よりなる木造屋根構造体３６とにより構成される。
【００３６】
そして、前記軽量鉄骨屋根構造体３５は、所望曲率Ｒにて形成され長手方向Ｘ１に所望個数が対向して設置されるアーチ形屋根梁材３７と、該アーチ形屋根梁材３７の左右の両端部３７ａ,３７ｂの下面に水平に設けられて継手部材３８を介して組み付けられる最上部に配置される胴差し材７と、前記アーチ形屋根梁材３７の中央部最高部位間に長手方向Ｘ１に架設されて組付けられる棟梁部材３９とにより形成される。これらのアーチ形屋根梁材３７、胴差し材７、棟梁部材３９はいずれも前記寸法、断面の軽量形鋼材２により形成される。
【００３７】
また、前記木造屋根構造体３６が、前記建物軸組み構造体１と同様に最上部に位置する前記胴差し材７の上面に添設された僅かに幅広の木製の添板部材４′と、前記アーチ形屋根梁材３７と前記胴差し材７との間の中央部に立設された少なくとも１本の小束材４０Ａの左右の側面に添設された僅かに幅広の木製の添板部材４″, ４″と、長手方向Ｘ１に対向する前記アーチ形屋根梁材３７の上面に所望接合金具４１を介して両端が接合される多数の母屋材４２,４２・・・とにより形成される。
【００３８】
４３は母屋材４２,４２・・・の上面に前記アーチ形屋根梁材３７の曲率Ｒに沿ってねじ釘Ｎや釘等の固定部品をエアーハンマー等の打撃具により打ち込むことにより張設する木製合板よりなる下地材である。
【００３９】
４４は該下地材４３の上面に防水シート４５を介して葺き合わせる屋根表面材であり、この屋根表面材４４は金属薄板、例えばアルミニウム板、ステンレス板、亜鉛板等が使用される。この屋根表面材４４の幅、長さ、厚さは制限がなく、自由に選択される。これらのアルミニウム板、ステンレス板、亜鉛板、銅板等の表面にはメッキ処理や塗装がされることもある。
【００４０】
図８において４６はロフトであり、このロフト４６は小屋組み軸構造体４７により囲まれる内域の屋根裏空間部４８に空間部を有効利用して構築される。
【００４１】
図６、図７において、４９は化粧板であり、この化粧板４９は前記母屋材４２,４２・・・４２の外側に前記アーチ形屋根梁材３７の外側面を覆い隠すように円弧状の化粧板構成片４９Ａ,４９Ｂ,４９Ｃ・・・４９Ｇを連続して適宜固定部品５０により取付けて化粧をするためのものである。この化粧板４９は、例えばプラスチック板、またベニア合板の表面にプラスチック板を重合し、被着した複合材が使用される。しかも、この化粧板４９は例えば屋根表面材４４、また建築物Ｋの外壁材８に使用される材質、色彩、風合い、成形模様に調和して種々の色彩、風合いのものが用意される。前記固定部品５０は、例えばエアーハンマー等の打撃具により打撃されるねじ釘Ｎ、釘が代表的に使用されるほか、ネジ、ボルト等があげられる。
【００４２】
本発明のアーチ形屋根家屋の実施形態１は以上の構成からなり、建築現場においてアーチ形屋根家屋Ａを建築するのには、先ずコンクリートにより形成される建物基礎５の上に建築物Ｋの建物軸組み構造体１を構築する。
【００４３】
ところで、本実施形態１では、断面角形、断面Ｈ形、断面Ｉ形等の軽量形鋼材２により形成される軽量形鋼構造体３と、該軽量形鋼構造体３の側面に長手方向Ｘに取付けられて前記軽量形鋼構造体３よりも僅かに幅広の木製の添板部材４とにより構成される建物軸組み構造体１を用いて建物基礎５上に柱材６を所望本数立設するとともに、該柱材６に対して胴差し材７を架設して組み付ける。
【００４４】
これには先ず、図１，図６に示すように、建物基礎５の上にコーナ用の柱材６として４本の通し柱１３をコーナ個所に立設する。そして、この通し柱１３間には所望間隔にて所望本数の間柱１４,１４；１４,１４を立設する。
【００４５】
具体的には、コーナ用の柱材６は建物基礎５に埋め込まれているアンカーボルトＵ．Ｖの上端部に取付けられる座翼板１６,１６を平面直角に有するコーナ用の柱材取付金具１５Ａの平面略箱形の受口部１７内に通し柱１３の下端を挿入し、図には示さないボルトを螺入する等して通し柱１３を建物基礎５上の少なくとも４個所に立設する。
【００４６】
次いで、建物基礎５に埋め込まれているアンカーボルトＵ．Ｖの上端部に取付けられる座翼板１６′,１６′を平面前後に有する間柱用の柱材取付金具１５Ｂの平面略箱形の受口部１７′内に間柱１４の下端を挿入し、図には示さないボルトを螺入する等して間柱１４,１４・・・１４を建物基礎５上に立設する。
【００４７】
そして、前述のように断面角形、断面Ｈ形、断面Ｉ形等の軽量形鋼材２により形成される軽量形鋼構造体３と、該軽量形鋼構造体３の側面に長手方向Ｘに取付けられて前記軽量形鋼構造体３よりも僅かに幅広の木製の添板部材４とにより構成される建物軸組み構造体１よりなり、建物基礎５上の例えばコーナ個所に立設した通し柱１３,１３；１３,１３間に立設した間柱１４,１４・・・１４の上部に、前記通し柱１３,１３；１３,１３と間柱１４,１４・・・１４と同様に建物軸組み構造体１よりなる胴差し材７を水平軸組み材として組み付ける。
【００４８】
この際、通し柱１３,１３；１３,１３および間柱１４,１４・・・１４に対する胴差し材７の固定は、例えば図２に示すようなＬ形金具１２を介してボルトＶ２を用いてボルト止めする等して容易かつ確実に施工を行うことができる。
【００４９】
このようにして、１階Ｆ１、２階Ｆ２、３階Ｆ３の各階毎に軽量形鋼構造体３と、該軽量形鋼構造体３の側面に長手方向Ｘに取付けられて軽量形鋼構造体３よりも僅かに幅広の木製の添板部材４とにより通し柱１３と、該通し柱１３間において立設した所望本数の間柱１４と、胴差し材７とにより所望の床面積の建築物Ｋの建物軸組み構造を構築する。
【００５０】
この建築物Ｋの建物軸組み構造を構築した後は、建物軸組み構造体１の上にアーチ形屋根Ｂを構築する。
【００５１】
このアーチ形屋根Ｂを構築するのには、先ず建物の最上階、本実施形態１では図１に示すように３階Ｆ３の上部において、建物基礎５の隅部、例えば四隅に前後、左右に立設した４本の対向する通し柱１３,１３；１３,１３間と、該通し柱１３,１３；１３,１３間に立設する所望数本の間柱１４,１４・・・１４との上端にそれぞれ軽量鉄骨屋根構造体３５としての胴差し材７を例えばＬ形金具１２等の接合金具を介して所望個所をボルトＶ２によりボルト止めする等して組み付けて水平に架設する。
【００５２】
この際、胴差し材７の上面には僅かに幅広の木製の添板部材４′を添設する。この添板部材４′を胴差し材７の上面に添設するには、図６に示すように胴差し材７に複数のボルトＶ３を貫通の上、ナットにより螺着れば容易に添設することができる。この取付方法は、代表的な例示であり、これに限定するものではない。
【００５３】
その後、図示するような断面角形、また図には示さないが断面Ｈ形、断面Ｉ形等の前記軽量形鋼材２にて形成したアーチ形屋根梁材３７の左右の両端部３７ａ,３７ｂを胴差し材７の左右の端部上に継手部材３８として側面略く字状の接合プレート３８ａ,３８ａ;３８ｂ,３８ｂをそれぞれの接合部に跨って重合の上、複数個所をボルトＶ４,Ｖ５を用いてボルト止めする等して接合する。この取付方法は、代表的な例示であり、これに限らない。
【００５４】
それから、図示するような断面角形、また図には示さないが断面Ｈ形、断面Ｉ形等の前記軽量形鋼材２にて形成した棟梁部材３９が、上記のように長手方向Ｘ１に対向して組み付けられたアーチ形屋根梁材３７,３７・・・３７の中央部最高部位間に図示するように架設されて接合金具４１を介してボルトＶ６によりボルト止めする等して組み付けられる。この取付方法は、代表的な例示であり、これに限定されるものではない。
【００５５】
このようにして組み付けられたアーチ形屋根梁材３７と胴差し材７との間に、中央部には最も長く、図示するような断面角形、また図には示さないが断面Ｈ形、断面Ｉ形等の軽量形鋼材２にて形成した小束材４０Ａを立設する。この小束材４０Ａの上端をアーチ形屋根梁材３７の下面に取付けたり、下端を水平な胴差し材７の上面に固定するのには、例えば図には示さないＬ形金具等とボルトを用いてボルト止めする等して取付ける。この取付方法は、代表的な例示であり、これに限らない。
【００５６】
そして、この中央の小束材４０Ａの左右には、アーチ形屋根梁材３７の曲率Ｒに対応して円弧端部に行くにつれて長さが短くなる木製の小束材４０Ｂ,４０Ｂ；４０Ｃ,４０Ｃ；４０Ｄ,４０Ｄ；４０Ｅ,４０Ｅ；４０Ｆ,４０Ｆ；４０Ｇ,４０Ｇを前記添板部材４′の上に所望間隔にて立設する。この時、小束材４０Ｂ,４０Ｂ；４０Ｃ,４０Ｃ；４０Ｄ,４０Ｄ；４０Ｅ,４０Ｅ；４０Ｆ,４０Ｆ；４０Ｇ,４０Ｇをアーチ形屋根梁材３７との間において木製の前記添板部材４′の上に取付けるのには、例えばねじ釘や釘を打撃具を用いてエアーハンマー等で打撃することにより取付ける。この取付方法は、エアーハンマーにより効率良く打撃を行う代表的な例示であり、これに限らず、手作業によりハンマーにて打撃してもよい。
【００５７】
その後、前述のようにして組み付けられた長手方向Ｘに対向する前記アーチ形屋根梁材３７,３７・・・３７の上面にＬ形金具等の所望接合金具４１とボルトＶ６とにより両端を接合して多数の母屋材４２,４２・・・４２を長手方向Ｘに架設する。
【００５８】
このようにして、図示するような断面角形、また図には示さないが断面Ｈ形、断面Ｉ形等の軽量形鋼材２にて所望曲率Ｒにて形成され、長手方向Ｘ１に所望個数が対向して設置されるアーチ形屋根梁材３７,３７・・・３７と、該アーチ形屋根梁材３７,３７・・・３７の左右の両端部３７ａ,３７ｂの下面に水平に継手部材３８を介してボルトＶ４,Ｖ５により組み付けられる胴差し材７と、前記アーチ形屋根梁材３７,３７・・・３７の中央部最高部位間に長手方向Ｘ１に架設されて組付けられる棟梁部材３９とにより形成される軽量鉄骨屋根構造体３５と、前記胴差し材７の上面に添設された僅かに幅広の木製の添板部材４′と、前記アーチ形屋根梁材３７,３７・・・３７と前記胴差し材７との間の中央部に立設された少なくとも１本の小束材４０Ａの左右の両側面に添設された幅広の木製の添板部材４″,４″と、長手方向Ｘに対向する前記アーチ形屋根梁材３７,３７・・・３７の上面に所望接合金具４１を介して両端が接合される所望間隔の多数の木製の母屋材４２,４２・・・４２とにより形成される木造屋根構造体３６とが併用されて建築施工現場にてアーチ形屋根Ｂの骨格となる小屋組み軸構造体３４は構築される。
【００５９】
その後、木製の母屋材４２,４２・・・４２の上面に前記アーチ形屋根梁材３７の曲率Ｒに沿って木製合板よりなる下地材４３,４３・・・４３をねじ釘、釘等をエアーハンマー等で打撃することにより固着して屋根全体に張設する。
【００６０】
それから、下地材４３,４３・・・４３の上面に防水シート４５を敷設し、この防水シート４５を介して金属薄板、例えばアルミニウム板、ステンレス板、亜鉛板、銅板等の金属薄板にて形成された屋根表面材４４をねじ釘等をエアーハンマー等で打撃することにより固着して葺き合わせる。この際、屋根表面材４４は、前述のように、対向するアーチ形屋根梁材３７,３７・・・３７の曲率Ｒに沿って所望間隔にて固着した多数の母屋材４２,４２・・・４２の上面に張設した下地材４３,４３・・・４３に防水シート４５を介して金属薄板よりなる屋根表面材４４が例えばねじ釘、釘等を打ち込むことにより取付けられるので、迅速に作業能率良く屋根表面材を下地材４３,４３・・・４３上に葺き合わせることができる。そして、葺き合わせられた屋根表面材４４,４４・・・４４が歪んだり、浮き上がって波打ったりすることなく、表面は綺麗に葺き合わせが行われる。
【００６１】
さらに、前記母屋材４２,４２・・・４２の外側（木口面）に、例えばプラスチック板にて形成されるか、またベニア合板の表面にプラスチック板を重合し、被着した複合材等により形成される円弧状の化粧板構成片４９Ａ,４９Ｂ,４９Ｃ・・・４９Ｇをアーチ形屋根梁材３７の曲率に合わせて連続して接合されるとともに適宜固定部品５０、例えばねじ釘、Ｎ釘等を打ち込むことにより取付けられる化粧板４９にて軽量形鋼材の前記アーチ形屋根梁材３７の外側面を覆い隠して化粧をする。
【００６２】
この化粧板４９は、例えばプラスチック板により形成されるか、またはベニア合板の表面にプラスチック板を重合し、被着した複合材が使用されので、撥水性と腐食性を発揮し、雨、雪、風等の耐候性が充分である。しかも、紫外線にも耐え、汚れにも強く、清掃等が容易である。さらには、この化粧板４９は例えば屋根表面材４４,４４・・・４４、また家屋の外壁材８の材質、色彩、風合いに等に調和して種々の材質、色彩、風合いのものが用いられるので、塗装等を施さなくても済む。
【００６３】
その後、本実施形態１のアーチ形屋根家屋Ａにつき、建築物Ｋの軸組み構造の外側およびアーチ形屋根Ｂの骨格となるアーチ屋根構造体３４の外側に外壁材８の取付作業を行う。
【００６４】
この外壁材８の取付は、通し柱１３,１３；１３,１３、該通し柱１３,１３；１３,１３間に所望間隔にて立設されている所望本数の間柱１４,１４・・・１４、さらには胴差し材７よりなる建物軸組み構造体１の断面角形、図には示さないが断面Ｈ形、断面Ｉ形等の軽量形鋼材２にて形成した軽量形鋼構造体３と、また、アーチ形屋根構造体３４の断面角形、また図には示さないが断面Ｈ形、断面Ｉ形等の軽量形鋼材２にて形成したアーチ形屋根梁材３７の下面内側と、胴差し材７と、アーチ形屋根梁材３７の下面と胴差し材７との間の中央に設けられる小束材４０Ａとの長手方向Ｘの側面にそれぞれ軽量形鋼構造体３よりも僅かに幅広に添設した木製の添板部材４に例えばねじ釘Ｎ、釘等をエアーハンマー等の打撃具を用いて打撃することによりこのねじ釘Ｎ等の先端部が打ち込まれることにより外壁材８は、例えば鉄骨材をボルト・ナットやリベット等の固定部品を用いて組み立てられる鉄骨ラーメン構造や鉄骨トラスト構造に対して外壁材をボルト・ナット等の固定部品を用いて取付けるというような特許文献１に記載の発明とは異なり、短時間に迅速かつ確実に作業効率が良く取付けることができる。この取付方法は、エアーハンマーにより効率良く打撃を行う代表的な例示であり、これに限らず、手作業によりハンマーにて打撃してもよい。
【００６５】
この際、木製の添板部材４の幅Ｗ１が前記通し柱１３、間柱１４、胴差し材７等の軽量形構造体３、およびアーチ形屋根梁材３７、胴差し材７、小束材４０Ａ等の軽量鉄骨屋根構造体３５の軽量形鋼材２の幅Ｗよりも左右端が僅か、好ましくは約５ｍｍ程度の突出厚さｔ,ｔに僅かに突出されているので、外壁材８を建物軸組み構造体１とアーチ形屋根構造体３４との外側に取付けるのに、建物軸組み構造体１とアーチ形屋根構造体３４内に中間の隔壁部材として断熱材１０を充填し、防水シート１１を表面に張設してから木製の添板部材４,４′,４″やアーチ形屋根梁材３７と前記胴差し材７との間の木製の小束材４０Ｂ,４０Ｃ,４０Ｄ,４０Ｅ,４０Ｆ,４０Ｇにねじ釘Ｎ等を打ち込むことにより、外壁材８を短時間に迅速かつ確実に作業効率が良く取付けるとともに浮き上がりにより段差を生じたり、継ぎ目が目立たずに綺麗な仕上がにて高精度に取付けることができるとともに木製の添板部材４によりねじ釘Ｎの打撃時の衝撃を緩和できる。しかも、外壁材８の接合端部相互のの接合と、コーナ個所における外壁部８の端部相互の接合が間隙が空いたり、継ぎ目が目立たずに綺麗な仕上がりに接合を行うことができる。
【００６６】
それから、建築物Ｋの軸組み構造およびアーチ形屋根Ｂの骨格となるアーチ屋根構造体３４に囲まれる内側に、例えば石膏ボードや合板等よりなる内壁材９の取付作業を行う。
【００６７】
これには、例えば通し柱１３、所望本数の間柱１４、さらには胴差し材７よりなる建物軸組み構造体１の軽量形鋼材にて形成した軽量形鋼構造体３と、また、アーチ形屋根構造体３４の軽量形鋼材２にて形成したアーチ形屋根梁材３７の下面内側と、胴差し材７と、アーチ形屋根梁材３７の下面と胴差し材７との間の中央に設けられる小束材４０Ａとに軽量鉄骨構造体３よりも僅かに幅広に添設した木製の添板部材４,４′,４″に例えばねじ釘Ｎ、釘等をエアーハンマー等で打撃することによりこのねじ釘Ｎ等の先端部が添板部材４,４′,４″に打ち込まれるため、内壁材９は短時間に迅速かつ確実に作業効率が良く取付けることができる。この取付方法は、エアーハンマーにより効率良く打撃を行う代表的な例示であり、これに限らず、手作業によりハンマーにて打撃してもよい。さらに終盤に内壁材９の表面（室内側）に、合成樹脂ビニール等により形成される化粧シートや壁紙を接着したり、塗料を塗布するなどして表面を綺麗にする。
【００６８】
その後、本実施形態１のアーチ形屋根家屋Ａにつき、１階Ｆ１、２階Ｆ２、３階Ｆ３の各階毎に床張り作業と必要な天井張り作業とを行う。先ず、床部１８を建築するのに、１階Ｆ１ではコンクリートよりなる建物基礎５の上面に対向して設けられた桁材１９の上面に所望本数の根太材２０を平行に架設する。また２階Ｆ２および３階Ｆ３では間柱１４,１４・・・１４の上面に架設した対向する胴差し材７の上面に所望本数の根太材２０を平行に架設する。
【００６９】
この際、根太材２０を桁材１９および胴差し材７に対して固定するにはＬ形金具１２′を介してねじ釘Ｎ′を打撃具により打ち込む等して取付ける。
【００７０】
次いで該根太材２０の上面にベニア合板２１を張設し、さらに該ベニア合板２１の上面に防水シート２２を介して床材２３を張設することにより１階Ｆ１、２階Ｆ２、３階Ｆ３の各階層毎に床部１８を建築する。
【００７１】
それから、前述のように２階Ｆ２に設けられる前記床部１８の下方に空気遮音層部Ｊを設け、該空気遮音層部Ｊを介して吊杆２６により１階Ｆ１の天井パネル２５を吊り下げることにより天井を張る。
【００７２】
また、同様に３階Ｆ３に設けられる前記床部１８の下方に空気遮音層部Ｊを設け、該空気遮音層部Ｊを介して吊杆２６により２階の天井パネル２５を吊り下げることにより天井を張る。
【００７３】
この際、吊杆２６はこの実施形態１では、吊杆２６の上端または下端に設けたねじ部２６ａ,２６ｂ にナット２７,２７を係止部品として螺合することにより階上の天井パネル２５から吊り下げられた吊杆２６を介して階下の天井パネル２５を容易に吊り下げることができる。
【００７４】
このように、３階Ｆ３の床部１８とその階下に取付けられる２階Ｆ２の天井パネル２５との間、および２階Ｆ２の床部１８とその階下に取付けられる１階Ｆ１の天井パネル２５との間にそれぞれ天井裏としての充分な容積空間を占める空気遮音層部Ｊ,Ｊが形成されるので、この空気遮音層部Ｊ,Ｊにより階上で発生される音は遮断されて階下には伝達されないため、確実に遮音される。
【００７５】
しかも、空気遮音層部Ｊ,Ｊは優れた断熱性を発揮するので、夏期には涼しく、冬期には暖かく、快適に過ごすことができる。
【００７６】
さらに、アーチ形屋根Ｂの骨格となるアーチ屋根構造体３４により囲まれる小屋組み軸構造体４７の内側の屋根裏空間部４８は相当に広いので、例えばロフト４６を構築するようにすれば床面積を有効活用して快適な広い居住スペースを確保することができる。
【００７７】
上記のように建設された本実施形態１によるアーチ形屋根家屋Ａは、断面角形、断面Ｈ形、断面Ｉ形等の軽量形鋼材２により形成される軽量形鋼構造体３と、該軽量形鋼構造体３の側面に長手方向Ｘに取付けられ、前記軽量形鋼構造体３よりも僅かに幅広の木製の添板部材４とを併用して建物軸組み構造体１を構成し、建物基礎５上に建物の軸組みとして前記建物軸組み構造体１を組付けることにより建築されるので、例えば特許文献１に記載のように軸組み構造体として鉄骨ラーメン構造や鉄骨トラスト構造を採用した無柱空間の大規模な建築物に適用されるアーチ形（蒲鉾形）屋根家屋とは異なり、建築施工現場での組立施工は多くの時間と手間がかからず、施工効率は良く、短い工事期間にて建築物Ｋを建築することができ、建築コストは低廉になるとともに工場から施工現場までの資材の運搬が容易である。
【００７８】
しかも、軽量形鋼構造体３と木製の添板部材４とを併用する本実施形態１のアーチ形屋根家屋Ａは、軽量化され、しかも軽量化されるわりに軽量形鋼構造体３と木造軸組構造体（木製の添板部材）とのそれぞれの利点が活かされて構造的に堅牢になる。従って、建築物Ｋ全体の総重量に対して建物軸組み構造体が占める重量を大幅に軽減化し、建築物として高耐震性を発揮するとともに台風等の風圧にも強く、堅牢な建築物Ｋを建築することができる。
【産業上の利用可能性】
【００７９】
本発明は、例えば一般住宅、集合住宅、アパート、小規模マンションを建設するのに最適であり、現場施工が迅速かつ効率的に行え、工事期間が短期間になり、さらには軽量でありながら構造堅牢なアーチ形屋根家屋を建築するという用途・機能に適する。
【図面の簡単な説明】
【００８０】
【図１】図１は本発明のアーチ形屋根家屋の実施形態１を示し、建築物の全景を示した斜視図である。
【図２】図２は同じく同じく拡大斜視図である。
【図３】図３は同じく本実施形態１を構成する建物軸組み構造体を示す拡大断面図である。
【図４】図４は同じく本実施形態１を構成するコーナ用の柱材取付金具を用いて柱材を建物基礎上に立設した状態の拡大斜視図である。
【図５】図５は同じく本実施形態１を構成する柱材取付金具を用いて柱材を建物基礎上に立設した状態の拡大斜視図である。
【図６】図６は同じく本実施形態１を構成するアーチ形屋根構造体を用いて建築されるアーチ形屋根を示す拡大斜視図である。
【図７】図７は同じくアーチ形屋根部分の断面図である。
【図８】図８は同じくアーチ形屋根を取り除いた斜視図である。
【符号の説明】
【００８１】
１      建物軸組み構造体
２      軽量形鋼材
３      軽量形鋼構造体
４      添板部材
４′    添板部材
４″    添板部材
５      建物基礎
６      柱材
７      胴差し材
８      外壁材
９      内壁材
１８    床部
２８    筋交い材
３４    アーチ屋根構造体
３５    軽量鉄骨屋根構造体
３６    木造屋根構造体
３７    アーチ屋根梁材
３８    継手部材
３９    棟梁部材
４０Ａ  小束材
４４    屋根表面材
４５    下地材
４７    小屋組み軸構造体
Ａ      アーチ形屋根家屋
Ｂ      アーチ形屋根
Ｋ      建築物
Ｎ      ねじ釘
Ｘ      長手方向
Ｗ      幅
Ｗ１    幅
ｔ      突出厚さ
【図１】
2006188820.tif 000003
【図２】
2006188820.tif 000004
【図３】
2006188820.tif 000005
【図４】
2006188820.tif 000006
【図５】
2006188820.tif 000007
【図６】
2006188820.tif 000008
【図７】
2006188820.tif 000009
【図８】
2006188820.tif 000010